(57)【要約】【課題】、取付金具に対するアンテナケースの着脱に要する手間を軽減する。【解決手段】取付金具８は、アンテナケース２が取り付けられる壁面に固定される板状の当接部８１と、当接部８１の板面から突出された一対の挟持片８２，８３と、一対の挟持片８２，８３に取り付けられる固定用ボルト９０を有する。金具固定部６，７は、アンテナケース２の背面から突設され、上下方向の幅が一対の挟持片８２，８３の間に保持される大きさを有する。金具固定部６，７には、固定用ボルト９０を挿入可能な溝状のスリット部６１と、スリット部６１に挿入された固定用ボルト９０に係合して、固定用ボルト９０をスリット部６１内に保持するスナップフィット構造を有した保持片６２とが設けられる。【選択図】図２
2019153996.tif 000002
【特許請求の範囲】
【請求項１】
電波を透過する素材にて形成され、アンテナ素子が収納されたアンテナケースと、
前記アンテナケースが取り付けられる壁面に固定される板状の当接部、前記当接部の板面から突出された一対の挟持片、及び前記一対の挟持片のうち少なくとも一方を挿通するように取り付けられる固定用ボルトを有する取付金具と、
前記アンテナケースの背面から突設され、予め設定された上下方向の幅が前記一対の挟持片の間に保持される大きさを有した一つ以上の金具固定部と、
を備え、
前記金具固定部は、
前記上下方向に沿った切り込みを有する、前記固定用ボルトを挿入可能な溝状のスリット部と、
前記スリット部に挿入された前記固定用ボルトに係合して、前記固定用ボルトを前記スリット部内に保持するスナップフィット構造を有した一つ以上の保持片と、
を備える、アンテナ装置。  
【請求項２】
請求項１に記載のアンテナ装置であって、
前記保持片は、前記スリット部の中心より上側に位置するように設けられた
アンテナ装置。
【請求項３】
請求項１又は請求項２に記載のアンテナ装置であって、
前記金具固定部は、前記上下方向の一端が前記アンテナケースの端部に位置するように設けられた
アンテナ装置。
【請求項４】
請求項１から請求項３までのいずれか１項に記載のアンテナ装置であって、
前記金具固定部において、前記スリット部は、前記アンテナケースの背面に沿って切り込みを入れた形状に形成されている
アンテナ装置。
【請求項５】
請求項１から請求項４までのいずれか１項に記載のアンテナ装置であって、
前記保持片による弾性変形の許容範囲を超える変位を阻止するストッパを更に備える
アンテナ装置。
【請求項６】
請求項１から請求項５までのいずれか１項に記載のアンテナ装置であって、
前記保持片は、前記スリット部に隣接する収納凹部内に形成された
アンテナ装置。
【発明の詳細な説明】
【技術分野】
【０００１】
本発明は、アンテナ素子を収納するアンテナケースを、取付金具を利用して建造物の壁面等に取り付けて使用するアンテナ装置に関する。
【背景技術】
【０００２】
下記特許文献１には、建造物の壁面等に取り付けられ、地上波テレビ放送受信等に用いられる薄型のアンテナ装置を、建造物の壁面等に取り付ける技術が記載されている。具体的には、壁面に取付金具を固定し、アンテナ素子が収納されたアンテナケースを、アンテナケースの背面に突設された金具固定部を介して、取付金具に取り付ける。
【０００３】
取付金具は、壁面に当接させる板状の当接部と当接部から立設され金具固定部を挟持する幅に形成された一対の挟持片を有する。この一対の挟持片の間に、金具固定部が挟持されるように位置決めした状態で、一対の挟持片および金具固定部に、固定用ボルトを挿通させて仮止めし、アンテナケースの向きを調整した後、固定用ボルトを締め付けて固定する。
【先行技術文献】
【特許文献】
【０００４】
【特許文献１】特開２０１５−１４６４７１号公報
【発明の概要】
【発明が解決しようとする課題】
【０００５】
しかしながら、特許文献１に記載された従来技術では、一対の挟持片から一旦固定用ボルトを取り外し、アンテナケースの位置決めをした後、固定用ボルトを取り付け直す必要があった。また、固定用ボルトの取り付け時には、アンテナケースの位置を保持しながら固定用ボルトを挿通させるという作業を行う必要があった。
【０００６】
本発明は、取付金具に対するアンテナケースの着脱に要する手間を軽減することを目的とする。
【課題を解決するための手段】
【０００７】
請求項１に記載の発明は、アンテナ装置であって、電波を透過する素材にて形成され、アンテナ素子が収納されたアンテナケースと、前記アンテナケースが取り付けられる壁面に固定される板状の当接部、前記当接部の板面から突出された一対の挟持片、及び前記一対の挟持片のうち少なくとも一方を挿通するように取り付けられる固定用ボルトを有する取付金具と、前記アンテナケースの背面から突設され、予め設定された上下方向の幅が前記一対の挟持片の間に保持される大きさを有した一つ以上の金具固定部と、を備え、前記金具固定部は、前記上下方向に沿った切り込みを有する、前記固定用ボルトを挿入可能な溝状のスリット部と、前記スリット部に挿入された前記固定用ボルトに係合して、前記固定用ボルトを前記スリット部内に保持するスナップフィット構造を有した一つ以上の保持片と、を備える。
【０００８】
請求項２に記載の発明は、請求項１に記載のアンテナ装置であって、前記保持片は、前記スリット部の中心より上側に位置するように設けられる。
請求項３に記載の発明は、請求項１又は請求項２に記載のアンテナ装置であって、前記金具固定部は、前記長手方向の一端が前記アンテナケースの端部に位置するように設けられる。
【０００９】
請求項４に記載の発明は、請求項１から請求項３までのいずれか１項に記載のアンテナ装置であって、前記金具固定部において、前記スリット部は、前記アンテナケースの背面に沿って切り込みを入れた形状に形成されている。
【００１０】
請求項５に記載の発明は、請求項１から請求項４までのいずれか１項に記載のアンテナ装置であって、前記保持片による弾性変形の許容範囲を超える変位を阻止するストッパを更に備える。
【００１１】
請求項６に記載の発明は、請求項１から請求項５までのいずれか１項に記載のアンテナ装置であって、前記保持片は、前記スリット部に隣接する収納凹部内に形成される。
【発明の効果】
【００１２】
請求項１に記載のアンテナ装置においては、一対の挟持片に固定用ボルトを取り付けた状態のまま、固定用ボルトがスリット部に挿入されるようにアンテナケースをシフトさせるだけで、アンテナケースは取付金具に仮止めされる。
【００１３】
従って、本発明によれば、取付金具において、固定用ボルトを一旦取り外すことなく、固定用金具にアンテナケースを仮止めすることができ、その状態から、固定用ボルトを締め付けるだけで、取付金具に、アンテナケースを固定することができる。つまり、取付金具にアンテナケースを取り付ける作業の手間を軽減することができる。
【００１４】
請求項２に記載のアンテナ装置においては、保持片が、少なくともスリットの上部にて固定用ボルトを保持するため、固定用ボルトを締める前の仮止め状態の時に、取付金具に対してアンテナケースが自重によって、傾くことを抑制することができる。
【００１５】
請求項３に記載のアンテナ装置においては、スリット部に保持された固定用ボルトの一端が前記アンテナケースの端部に位置するため、固定用ボルトの締付け作業を容易に行うことができる。
【００１６】
請求項４に記載のアンテナ装置においては、アンテナケースの前後方向からの荷重を、スリット部の壁面が受けるため、例えばアンテナケースの背後から風を受けたとき等に、保持片に過度な荷重が加わることを抑制できる。また、本発明によれば、アンテナケースの背面からの金具固定部の突出量を抑制しつつ、保持片に必要な弾性力を得るための物理的なサイズ、例えば、板ばねの長さを十分に確保することができる。
【００１７】
請求項５に記載のアンテナ装置においては、保持片による保持状態を解除するときに、ストッパによって変位量が制限されるため、保持片の破損を抑制できる。
請求項６に記載のアンテナ装置においては、外部の物体による保持片への接触が抑制されるため、保持片による保持状態が不用意に解除されたり、保持片が破損したりすることを抑制できる。
【図面の簡単な説明】
【００１８】
【図１】実施形態のアンテナ装置を正面の斜め上側から見た斜視図である。
【図２】アンテナ装置を背面の斜め下側から見た斜視図である。
【図３】アンテナ装置の底面図である。
【図４】アンテナケース下部におけるケース本体側の構造を示す斜視図および拡大図である。
【図５】アンテナケース下部におけるカバー側の構造を示す斜視図および拡大図である。
【図６】アンテナケース下部に形成される水抜き孔の構造を示す説明図である。
【図７】保持片の構造を示す斜視図である。
【図８】固定用金具にアンテナケースを取り付けた状態を示す、図２におけるVIII−VIII断面図である。
【図９】固定用金具にアンテナケースを取る付ける手順を示す説明図であり、（ａ）が取付前、（ｂ）が取付後を示す。
【図１０】固定用金具に仮止めした状態でのアンテナケースの可動範囲を示す説明図であり、（ａ）が正面から見て右側に位置する固定用金具を用いた場合、（ｂ）が左側に位置する固定用金具を用いた場合を示す。
【発明を実施するための形態】
【００１９】
以下に本発明の実施形態を図面と共に説明する。
［１．構成］
本実施形態のアンテナ装置１は、ＵＨＦ帯のテレビ放送電波を受信するためのものである。アンテナ装置１は、図１，図２及び図３に示すように、アンテナケース２と、取付金具８とを備える。
【００２０】
［２．取付金具］
取付金具８は、アンテナケース２を建造物の壁面や支柱に取り付けるための金具である。取付金具８は、当接部８１と、一対の挟持片８２，８３と、固定用ボルト９０とを備える。
【００２１】
当接部８１は、矩形形状の金属板である。一対の挟持片８２，８３は、当接部８１の長手方向の両端縁から当接部８１の板面とは直交する方向に突設された略三角形状の金属板である。当接部８１及び挟持片８２，８３は、例えば、板状の金属材料をプレス加工することにより一体形成される。挟持片８２，８３間の長さは、後述する金具固定部７，８の長手方向の長さと略一致する。挟持片８２，８３には、それぞれ孔部８２ａ，８３ａが設けられており、一方の挟持片８２に形成された孔部８２ａの外側には、固定用ボルト９０の先端部分に形成されたねじ山と螺合可能なナット８２ｂが固定されている。
【００２２】
固定用ボルト９０は、先端部分に雄ねじとなるねじ山が形成されている。また、固定用ボルト９０の先端部分から頭部に至る胴部は、孔部８２ａ，８３ａを挿通するように径が細くなっている。固定用ボルト９０は、一方の挟持片８３の孔部８３ａを挿通させ、他方に挟持片８２に設けられたナット８２ｂに、先端部分を螺合させた状態で取り付けられる。なお、他方の挟持片８２に固定用ボルト９０の先端部分を固定する場合、必ずしも固定用ボルト９０の先端部分を孔部８２ａに挿通させたり、ナット８２ｂに螺合させたりする必要はなく、例えば、溶接によって固着してもよい。
【００２３】
当接部８１は、挟持片８２，８３が突出した側の面とは反対側の面を、アンテナ装置１の取り付け対象となる建造物の壁面に当接させて、ねじ等で固定するものである。当接部８１の板面には、壁面固定用のねじを挿通するための複数のねじ孔８１ａが設けられている。
【００２４】
また、当接部８１の板面には、アンテナ装置１を支柱に固定する際に、支柱に対し取付金具８を位置決めするための溝部８１ｂ、及び、壁面に対し取付金具８を固定するためのビスを挿通させる挿通孔８１ｃも設けられている。
【００２５】
［３．アンテナケース］
アンテナケース２は、放射器及び反射器を収納するケースであり、電波を透過可能な合成樹脂製で防水型に構成されている。アンテナケース２の背面には、端子保護部５、及び一対の金具固定部６，７が設けられている。
【００２６】
アンテナケース２内に収納される放射器は、金属板等からなる導電材料の薄板を、例えば金型を使って打ち抜き成形することにより構成されたスケルトンスロットアンテナにて構成される。また、アンテナケース２内に収納させる反射器も、金属板等からなる導電材料の薄板を、例えば金型を使って所定の形状に打ち抜き成形することにより構成される。
【００２７】
アンテナケース２内において、放射器及び反射器は、間隔を空けて対向配置される。このため、アンテナケース２は、厚みのない薄型で矩形の箱形状を有する。なお、こうした放射器及び反射器の構成については、例えば、特開２０１２−１０３２８号公報に記載されており、本願発明の主要部ではないので、詳細な説明は省略する。
【００２８】
アンテナケース２は、反射器の板面よりも大きい開口部を有する矩形で扁平なケース本体３と、このケース本体３に放射器及び反射器を収納した状態で開口部を閉塞するカバー４とを備える。以下、ケース本体３においてカバー４が取り付けられる側を前面、その反対側を背面という。また、アンテナケース２の前面及び後面に直交する方向を前後方向、アンテナケース２の長手方向に沿った方向を上下方向、短手方向に沿った方向を左右方向という。また、左右は、アンテナケース２を前面から見た方向を基準とする。
【００２９】
アンテナケース２は、図３に示すように、下側の面である底面におけるケース本体３とカバー４との境界、且つアンテナケース２の左右方向の中心を挟んで左右対称な位置に一対の水抜孔２１，２１を有する。
【００３０】
図４に示すように、ケース本体３は、カバー４に接する周縁部に溝状の凹部３１を有する。また、図５に示すように、カバー４は、ケース本体３に接する周縁部に、上記凹部３１に嵌合される突条からなる凸部４１を有する。つまり、カバー４の凸部４１を、ケース本体３の凹部３１に嵌合させることによって、ケース本体３に対するカバー４の位置決めと、アンテナケース２の防水性を実現する。
【００３１】
但し、ケース本体３において水抜孔２１が形成される部位３ａには、図４に示すように、溝幅が他の部位より広く且つ溝の奥行きが他の部位より深い拡張凹部３１ａが設けられている。更に、拡張凹部３１ａにおいて、アンテナケース２の内部空間に面した内側壁３２及びアンテナケース２の外部空間に面した外側壁３３には、切欠部３２ａ，３３ａが形成されている。
【００３２】
一方、カバー４において水抜孔２１が形成される部位４ａには、図５に示すように、突条の突出量が他の部位より大きい拡張凸部４１ａが設けられている。また、凸部４１は、拡張凸部４１ａも含めて、全体的にその先端部分に向けて徐々に厚さが小さくなる形状、いわゆるテーパ状に形成されている。
【００３３】
そして、図６に示すように、ケース本体３にカバー４を取り付けた時に、拡張凸部４１ａは、拡張凹部３１ａに挿入され、拡張凹部３１ａの内壁面との間に隙間ができる大きさに形成されている。また、このとき、切欠部３２ａは、上記隙間をアンテナケース２の内部空間に連通させる孔を形成し、切欠部３３ａは、上記隙間をアンテナケース２の外部空間に連通させる孔を形成する。これら拡張凹部３１ａ、拡張凸部４１ａ、及び切欠部３２ａ，３３ａが、アンテナケース２の内部空間と外部空間とを連通するクランク状に屈曲した水抜孔２１を形成する。
【００３４】
なお、水抜孔２１の孔径及び形状は、ケース内部の下部に溜まる水を外部に排出することができ、且つ、外部からの虫等の侵入を防止できることを考慮して設定される。
【００３５】
［３−１．端子保護部］
端子保護部５は、アンテナケース２の背面の上方に突設される。端子保護部５の下面には、アンテナケース２内の放射器の給電点に接続されたＦ型接栓５１及びＦ型コネクタ５２が設けられている。つまり、端子保護部５は、Ｆ型接栓５１及びＦ型コネクタ５２の接続部分を保護するように、これらを囲う形状に形成されている。
【００３６】
［３−２．金具固定部］
金具固定部６，７は、図１，図２及び図３に示すように、アンテナケース２の背面の下端付近において、ケース本体３の上下方向に沿った中央軸に対して左右対称な位置にそれぞれ突設される。
【００３７】
金具固定部６，７は、左右対称な形状である以外は、同様に構成されているため、ここでは、アンテナケース２の右側に設けられた金具固定部６について説明する。
【００３８】
金具固定部６は、上下方向の幅が、取付金具８が有する一対の挟持片８２，８３の配置間隔と略同じ長さを有する。また、金具固定部６において、アンテナケース２の右端部側にて、アンテナケース２の背面から立設し且つ上下方向に延びる面（以下、外側面）６ａには、スリット部６１が設けられている。スリット部６１には、アンテナケース２の背面に沿って右側方から切り込みを入れた形状を有し、固定用ボルト９０の銅部を収納可能な幅を有する溝が形成されている。
【００３９】
金具固定部６は、スリット部６１に挿入された固定用ボルトの胴部に係合して、固定用ボルトをスリット部内に保持する保持片６２を備える。
保持片６２は、図７及び図８に示すように、スリット部６１の上端部付近の部位６ｂにおいて、スリット部６１の溝に隣接する収納凹部６３内に設けられている。保持片６２は、例えば、金具固定部６と同じ材質の樹脂材料によって、金具固定部６と一体成形される。
【００４０】
保持片６２は、一対の脚部６２１，６２２と、つまみ部６２３と、係止部６２４と、規制部６２５とを備える。一対の脚部６２１，６２２は、収納凹部６３の底面からスリット部６１の溝に沿って立設された板バネである。つまみ部６２３は、一対の脚部６２１，６２２の開放端側を連結する部位であり、その先端部分が外側面６ａより突出するように形成される。係止部６２４は、つまみ部６２３からスリット部６１の溝に向けて突設される。但し、係止部６２４は、スリット部６１が形成する溝の底面から、固定用ボルト９０の胴部の径に略等しい幅だけ離れた位置に、溝の底面に平行な保持面６２４ａを有し、保持面６２４ａ側からつまみ部６２３の先端に向けて突出量が連続的に小さくなる形状を有する。規制部６２５は、つまみ部６２３から、係止部６２４の突出方向とは反対方向に向けて突設される。規制部６２５は、つまみ部６２３をスリット部６１から離れる方向に付勢して、保持片６２を弾性変形させたときに、スリット部６１が形成する溝の外側に係止部６２４が到達する位置で、収納凹部６３の側壁に当接する大きさ及び形状を有する。つまり、規制部６２５及び規制部６２５が当接する収納凹部６３の側壁がストッパに相当する。
【００４１】
保持片６２は、いわゆるスナップフィット構造を有しており、スリット部６１の溝に固定用ボルト９０が挿入されたときには、固定用ボルト９０が奥に進むほど、係止部６２４がスリット部６１の溝から押し出されるように弾性変形する。固定用ボルト９０が係止部６２４を通過して、固定用ボルト９０を介して加わる押圧力から解放されると、保持片６２の弾性力によって元の形状に戻ることにより、固定用ボルト９０は、係止部６２４の保持面６２４ａとスリット部６１の溝の底面との間に保持される。
【００４２】
［４．作用］
アンテナ装置１を建造物壁面に取り付ける作業について説明する。
まず、図１及び図２に示すように、取付金具８を、一対の挟持片８２，８３に固定用ボルト９０を取り付けた状態で、建造物壁面に固定する。このとき、一対の挟持片８２，８３のうち、固定用ボルト９０のナットに螺合された先端部分が位置する側の挟持片８２を上方、固定用ボルト９０の頭部が位置する側の挟持片８３を下方にして取り付ける。
【００４３】
次に、アンテナケース２を、端子保護部５が上方、金具固定部６が下方に位置する状態にして、図９（ａ）に示すように、取付金具８に取り付ける側の金具固定部６の外側面６ａが、取付金具８と対向するように、より詳しくは、スリット部６１が固定用ボルト９０と対向するように配置する。この状態から、アンテナケース２を取付金具８に向けて横方向にスライドさせる。これにより、金具固定部６が一対の挟持片８２，８３の間に挟持され、且つ、スリット部６１の溝に、固定用ボルト９０の胴部が挿入されて、保持片６２によって係合保持される。この状態を仮止め状態という。
【００４４】
仮止め状態において、固定用ボルト９０を軸として、アンテナケース２を回動させて所望の方向に向きを調整した後、アンテナケース２が回動不能となるように固定用ボルトを締め付けることで、取付金具８へのアンテナケース２の取り付けを完了する。
【００４５】
取付金具８からアンテナケース２を取り外す必要があるときには、まず、固定用ボルト９０を緩めて仮止め状態にする。そして、固定用ボルト９０に対する係合が解除される方向に保持片６２を変位させ、スリット部６１から固定用ボルト９０が抜き取られる方向にアンテナケース２を横方向にスライドさせることで、取り外しを完了する。
【００４６】
［５．効果］
以上説明したように、アンテナ装置１では、取付金具８への取り付けに用いる金具固定部６，７は、固定用ボルト９０を挿入可能な溝を有するスリット部６１と、スリット部６１の溝に挿入された固定用ボルト９０を保持するスナップフィット構造の保持片６２とを備える。
【００４７】
このため、アンテナ装置１によれば、一対の挟持片８２，８３から固定用ボルト９０を一旦取り外すことなく、取付金具８にアンテナケース２を仮止めすることができる。つまり、従来技術と比較して、一対の挟持片８２，８３に固定用ボルト９０を着脱する手間が省略されるため、アンテナ装置１の取付作業に要する手間を軽減することができる。
【００４８】
アンテナ装置１では、一対の金具固定部６，７が、アンテナ装置１の上下方向に沿った中心軸を挟んで左右対称となるように配置され、いずれか一方を、取付金具８に固定するようにされている。図１０（ａ）に示すように、右側の金具固定部６を使用した場合、正面から右方向に約６０度の範囲で取付角度を変化させることができる。また、図１０（ｂ）に示すように、左側の金具固定部７を使用した場合、正面から左方向に約６０度の範囲で取付角度を変化させることができる。つまり、使用する金具固定部６，７を変更することによって、約１２０度の範囲で取付角度を変化させることができる。
【００４９】
アンテナ装置１では、保持片６２が、スリット部６１の上部に設けられている。このため、アンテナ装置１によれば、固定用ボルト９０を締め付ける前の仮止め状態の時に、アンテナケース２の自重によって、取付金具８に対してアンテナケース２が傾くことを抑制することができる。
【００５０】
アンテナ装置１では、金具固定部６，７の一端が、アンテナケース２の端部に位置するように配置されている。このため、アンテナ装置１によれば、仮止めされた状態で、固定用ボルト９０の頭部がアンテナケース２の端部（本実施形態では、下端）に位置するため、固定用ボルト９０の締付け作業を容易に行うことができる。
【００５１】
アンテナ装置１では、スリット部６１が金具固定部６（金具固定部７も同様）の外側面６ａにてアンテナケース２の背面に沿って切り込んだ形状を有する。このため、アンテナ装置１によれば、アンテナケース２の前後方向からの荷重を、スリット部６１の壁面で受けるため、例えばアンテナケース２の正面又は背後から風を受けたときに、保持片６２に過度な荷重が加わることを抑制できる。更に、アンテナケース２の背面からの金具固定部６の突出量を抑制しつつ、保持片６２に必要な弾性力を得るための物理的なサイズ、例えば、板ばねとなる一対の脚部６２１，６２２の長さを十分に確保することができる（図８参照）。
【００５２】
アンテナ装置１では、保持片６２による固定用ボルト９０との係合を解除するときに、規制部６２５によって変位量が制限されるため、許容範囲を超えた変位による保持片６２の破損を抑制できる。
【００５３】
アンテナ装置１では、保持片６２が収納凹部６３の内部に形成され、つまみ部６２３の先端部分以外は、収納凹部６３の内部に収納されている。このため、アンテナ装置１によれば、外部の物体による保持片６２への接触が抑制されるため、保持片６２と固定用ボルト９０との係合状態が不用意に解除されたり、保持片６２が破損したりすることを抑制できる。
【００５４】
［６．他の実施形態］
以上、本発明の一実施形態について説明したが、本発明は、上記実施形態に限定されるものではなく、本発明の要旨を逸脱しない範囲内にて、種々の態様をとることができる。
【００５５】
上記実施形態では、金具固定部６，７をアンテナケース２の下端に配置したが、これに限低されるものではない。金具固定部６，７は、例えば、アンテナケース２の中央や上端に配置されてもよい。
【００５６】
上記実施形態では、金具固定部６，７を２箇所に設けたが、これに限低されるものではなく、１箇所だけ又は３箇所以上設けてもよい。
上記実施形態では、保持片６２をスリット部６１の上端付近に１箇所だけ設けたが、これに限低されるものではなく、スリット部６１の任意の箇所に設けたり、複数個所に設けたりしてもよい。
上記実施形態では、アンテナケース２は合成樹脂を用いて構成されているが、これに限定されるものではなく、防水処理された木材や紙材等を用いて構成されてもよい。
【００５７】
［７．他の発明］
上記実施形態からは、特許請求の範囲に記載したアンテナ装置に関する発明の他、以下の請求項Ａ１〜請求項Ａ５に示すアンテナケースに関する発明を抽出することができる。
【００５８】
［請求項Ａ１］電波を透過する素材にて形成されたアンテナケース（２）であって、アンテナ素子が収納されるケース本体（３）と、ケース本体の開口を塞ぐカバー（４）と、を備え、前記ケース本体と前記カバーとの接触部位には、一方に溝状の凹部（３１）、他方に前記凹部に係合する突条を有した凸部（４１）が形成され、当該アンテナケースの使用時に前記アンテナケースの下端に位置する前記凹部及び前記凸部の少なくとも一部（３１ａ，４１ａ）は、前記凹部と前記凸部との間に水を通過させる隙間が形成されるような形状及び大きさに形成され、前記ケース本体及び前記カバーの少なくとも一方には、前記アンテナケースの内部空間に面する内側面、及び前記アンテナケースの外部空間に面する外側面のそれぞれに、前記隙間を前記アンテナケースの内部空間および外部空間に連通させる切欠部（３２ａ，３３ａ）を設け、前記凹部及び前記凸部により形成される隙間と前記切欠部とによって水抜孔（２１）が形成されたアンテナケース。
【００５９】
この場合、位置決めや防水のために設けられている既存の凹部及び凸部の形状を利用して両者の間に形成される隙間を水抜孔として利用するため、水抜孔の形成に必要な構成を小型化することができる。また、水抜孔の経路がクランク状に屈曲しているため、外部からの虫等の侵入を抑制することができる。
【００６０】
［請求項Ａ２］請求項Ａ２に記載のアンテナケースであって、前記水抜孔を形成する部位の前記凹部は、他の部位と比較して、溝幅が広く且つ溝の奥行きが深く形成されたアンテナケース。
この場合、凸部との間の隙間、即ち、水抜孔の孔径を大きくすることができる。
【００６１】
［請求項Ａ３］請求項Ａ２に記載のアンテナケースであって、前記水抜孔を形成する部位の前記凸部は、他の部位と比較して、前記突条の突出量が大きく形成されたアンテナケース。
この場合、突条の突出量が大きい部分が、凹部の溝の奥行きが深い部分に挿入された状態でなければケース本体にカバーを取り付けることができないため、ケース本体に対するカバーの逆付けを防止することができる。
【００６２】
［請求項Ａ４］請求項Ａ１から請求項Ａ３までのいずれか１項に記載のアンテナケースであって、前記凸部は、少なくとも前記水抜孔を形成する部位においてテーパ状の断面形状を有するアンテナケース。
この場合、水抜孔での水の流れ易さを向上させることができる。
【００６３】
［請求項Ａ５］請求項Ａ１から請求項Ａ４までのいずれか１項に記載のアンテナケースであって、前記水抜孔は、前記アンテナケースの下端における両側端に形成されたアンテナケース。
この場合、アンテナケースの取り付け状態が左右のどちらかに傾斜したとしても、どちらかの水抜孔によって、水抜きの役目を果たすことができる。
【符号の説明】
【００６４】
１…アンテナ装置、２…アンテナケース、３…ケース本体、４…カバー、５…端子保護部、６，７…金具固定部、８…取付金具、２１…水抜孔、３１…凹部、３１ａ…拡張凹部、３２…内側壁、３２ａ，３３ａ…切欠部、３３…外側壁、４１…凸部、４１ａ…拡張凸部、５１…Ｆ型接栓、５２…Ｆ型コネクタ、６１…スリット部、６２…保持片、６３…収納凹部、８１…当接部、８１ａ…ねじ孔、８１ｂ…溝部、８１ｃ…挿通孔、８２，８３…挟持片、８２ａ，８３ａ…孔部、８２ｂ…ナット、９０…固定用ボルト、６２１，６２２…脚部、６２３…つまみ部、６２４…係止部、６２４ａ…保持面、６２５…規制部。 
【図１】
2019153996.tif 000003
【図２】
2019153996.tif 000004
【図３】
2019153996.tif 000005
【図４】
2019153996.tif 000006
【図５】
2019153996.tif 000007
【図６】
2019153996.tif 000008
【図７】
2019153996.tif 000009
【図８】
2019153996.tif 000010
【図９】
2019153996.tif 000011
【図１０】
2019153996.tif 000012